(57)【特許請求の範囲】
【請求項１】
測定対象に供給する測定用電流の電流値が予め規定されている複数種類の抵抗測定レンジのうちのいずれかの当該抵抗測定レンジで当該測定対象の抵抗値を測定する測定部と、
前記測定部を制御して前記いずれかの抵抗測定レンジを指定して前記測定対象の抵抗値を測定させる処理部とを備えた抵抗測定装置であって、
前記処理部は、前記測定対象に対する印加が許容されている最大電圧値、および当該測定対象について測定され得る最大抵抗値が指定されたときに、当該最大抵抗値が測定可能範囲に含まれる前記各抵抗測定レンジの中で最も低抵抗側の当該抵抗測定レンジを特定する第１処理と、特定した前記抵抗測定レンジに規定されている前記測定用電流を前記最大抵抗値の前記測定対象に供給したときに当該測定対象に印加される電圧の電圧値を演算する第２処理とを実行し、当該第２処理において演算した電圧値が前記最大電圧値以下のときには、前記第１処理において特定した前記抵抗測定レンジを指定して前記測定対象の抵抗値を測定させ、前記第２処理において演算した電圧値が前記最大電圧値を超えているときには、前記第１処理において特定した前記抵抗測定レンジよりも小さな電流値の前記測定用電流を供給するように規定されている高抵抗側の前記抵抗測定レンジを指定して前記測定対象の抵抗値を測定させる抵抗測定装置。
【請求項２】
前記処理部は、前記測定対象の基準抵抗値および当該測定対象の抵抗値の許容誤差が指定されたときに、指定された当該基準抵抗値および当該許容誤差に基づいて前記最大抵抗値を演算する第３処理を前記第１処理に先立って実行する請求項１記載の抵抗測定装置。
【請求項３】
前記処理部は、前記測定部によって測定された前記測定対象の抵抗値が、前記基準抵抗値に対する前記許容誤差の範囲内の抵抗値であるか否かを特定可能に報知する測定結果報知処理を実行する請求項２記載の抵抗測定装置。
【発明の詳細な説明】
【技術分野】
【０００１】
本発明は、複数の測定レンジのうちのいずれかで測定対象の抵抗値を測定可能に構成された抵抗測定装置に関するものである。
【背景技術】
【０００２】
例えば、下記の特許文献に開示されているインピーダンス測定器（以下、単に「測定器」ともいう）は、１０Ω、１００Ω、１ｋΩ、１０ｋΩ、１００ｋΩ、１ＭΩ、１０ＭΩ、１００ＭΩおよび１０００ＭΩの９つの測定レンジを有する測定部を備え、測定対象の抵抗値に応じて各測定レンジのうちから予め規定された条件に合致する測定レンジが自動的に選択される構成が採用されている。この場合、この種の測定器では、一例として、測定処理時に測定対象に対して供給する測定用電流の電流値が各測定レンジ毎に予め規定されている。
【０００３】
具体的には、一例として、１０Ωレンジおよび１００Ωレンジの測定用電流が１０ｍＡに規定され、１ｋΩレンジおよび１０ｋΩレンジの測定用電流が１ｍＡに規定され、１００ｋΩレンジの測定用電流が１００μＡに規定され、１ＭΩレンジの測定用電流が１０μＡに規定され、１０ＭΩレンジの測定用電流が１μＡに規定され、１００ＭΩレンジの測定用電流が１００ｎＡに規定され、かつ１０００ＭΩレンジの測定用電流が１０ｎＡに規定されている。
【０００４】
また、この測定器では、上記の９つの測定レンジのうちから切替え対象とする測定レンジを予め指定しておくことにより、切替え対象に指定されている測定レンジのなかから条件に合致する測定レンジが自動的に選択される構成が採用されている。一例として、１ｋΩ、１０ｋΩ、１００ｋΩおよび１ＭΩの４つの測定レンジが切替え対象として指定されているときには、１ＭΩレンジから順に下位の測定レンジ（低抵抗側の測定レンジ）に切り替えつつ、予め規定された条件に合致する測定レンジを特定して測定処理を実行する構成が採用されている。
【０００５】
この際に、一例として、上記の４つの測定レンジが切替え対象として指定されているときに、抵抗値が４ｋΩの抵抗体を対象とする測定が開始されたときには、１ＭΩレンジおよび１００ｋΩを経て１０ｋΩレンジに切り替えられた状態で４ｋΩとの抵抗値が測定される。これにより、測定対象の抵抗値の測定処理が完了する。
【先行技術文献】
【特許文献】
【０００６】
【特許文献１】特開平５−２８８７７８号公報（第２−３頁、第１−２図）
【発明の概要】
【発明が解決しようとする課題】
【０００７】
ところが、従来の測定器には、以下の解決すべき問題点が存在する。すなわち、従来の測定器では、切替え対象として指定されている測定レンジのうちの最も高抵抗側の測定レンジから順に測定レンジを切替え、予め規定された条件を満たす測定レンジに切り替えられた状態において、測定対象の抵抗値を測定する構成が採用されている。この場合、抵抗値が４ｋΩの抵抗体を対象とする上記の例では、１ＭΩレンジにおいて１０μＡの測定用電流が供給されることで測定対象に対して０．０４Ｖの電圧が印加され、１００ｋΩレンジにおいて１００μＡの測定用電流が供給されることで測定対象に対して０．４Ｖの電圧が印加され、かつ１０ｋΩレンジにおいて１ｍＡの測定用電流が供給されることで測定対象に対して４Ｖの電圧が印加されることとなる。
【０００８】
一方、例えば、抵抗値が８ｋΩの抵抗体を測定対象とする測定に際しては、４ｋΩの抵抗体の測定時と同様にして１ＭΩレンジおよび１００ｋΩを経て１０ｋΩレンジに切り替えられた状態で８ｋΩとの抵抗値が測定される。この際には、１ＭΩレンジにおいて１０μＡの測定用電流が供給されることで測定対象に対して０．０８Ｖの電圧が印加され、１００ｋΩレンジにおいて１００μＡの測定用電流が供給されることで測定対象に対して０．８Ｖの電圧が印加され、かつ１０ｋΩレンジにおいて１ｍＡの測定用電流が供給されることで測定対象に対して８Ｖの電圧が印加されることとなる。
【０００９】
この場合、例えば、測定対象としての抵抗体のなかには、定格電圧が５Ｖ程度の小さな電圧値のものが存在する。しかしながら、例えば、定格電圧が５Ｖで抵抗値が４ｋΩの抵抗体については、測定用電流が供給されることで印加される電圧の最大値が、１０ｋΩレンジに切り替えられた際に１ｍＡの測定用電流が供給されたときの４Ｖで、定格電圧を超える電圧値が印加されることがないものの、定格電圧が５Ｖで抵抗値が８ｋΩの抵抗体については、１０ｋΩレンジに切り替えられた際に１ｍＡの測定用電流が供給されることで定格電圧を超える８Ｖの電圧が印加されることとなる。このため、従来の測定器では、定格電圧の電圧値が小さい抵抗体等を測定対象とするときに、その抵抗値によっては、測定対象が破損するおそれがあるという問題点が存在する。
【００１０】
一方、上記のような測定対象の破損を回避するために、利用者が、測定作業に先立ち、測定対象に印加される電圧値を算出して定格電圧を超えるか否かを判別し、印加される電圧値が定格電圧を超えるときには、小さな電流値の測定用電流を供給するように規定されている高抵抗側の測定レンジを手動で指定する必要がある。しかしながら、特に、この種の測定器（測定装置）を利用した抵抗値の測定作業に不慣れな利用者にとっては、各測定レンジ毎に規定されている測定用電流の電流値を把握することや、把握した電流値と測定対象の抵抗値とに基づいて測定時に印加される電圧の電圧値を正確に算出することが困難となっている。したがって、測定対象の破損を確実に回避するのが困難となっている現状がある。
【００１１】
本発明は、かかる問題点に鑑みてなされたものであり、測定対象の破損を招くことなく、その抵抗値を確実かつ容易に測定し得る抵抗測定装置を提供することを主目的とする。
【課題を解決するための手段】
【００１２】
上記目的を達成すべく、請求項１記載の抵抗測定装置は、測定対象に供給する測定用電流の電流値が予め規定されている複数種類の抵抗測定レンジのうちのいずれかの当該抵抗測定レンジで当該測定対象の抵抗値を測定する測定部と、前記測定部を制御して前記いずれかの抵抗測定レンジを指定して前記測定対象の抵抗値を測定させる処理部とを備えた抵抗測定装置であって、前記処理部は、前記測定対象に対する印加が許容されている最大電圧値、および当該測定対象について測定され得る最大抵抗値が指定されたときに、当該最大抵抗値が測定可能範囲に含まれる前記各抵抗測定レンジの中で最も低抵抗側の当該抵抗測定レンジを特定する第１処理と、特定した前記抵抗測定レンジに規定されている前記測定用電流を前記最大抵抗値の前記測定対象に供給したときに当該測定対象に印加される電圧の電圧値を演算する第２処理とを実行し、当該第２処理において演算した電圧値が前記最大電圧値以下のときには、前記第１処理において特定した前記抵抗測定レンジを指定して前記測定対象の抵抗値を測定させ、前記第２処理において演算した電圧値が前記最大電圧値を超えているときには、前記第１処理において特定した前記抵抗測定レンジよりも小さな電流値の前記測定用電流を供給するように規定されている高抵抗側の前記抵抗測定レンジを指定して前記測定対象の抵抗値を測定させる。
【００１３】
また、請求項２記載の抵抗測定装置は、請求項１記載の抵抗測定装置において、前記処理部は、前記測定対象の基準抵抗値および当該測定対象の抵抗値の許容誤差が指定されたときに、指定された当該基準抵抗値および当該許容誤差に基づいて前記最大抵抗値を演算する第３処理を前記第１処理に先立って実行する。
【００１４】
さらに、請求項３記載の抵抗測定装置は、請求項２記載の抵抗測定装置において、前記処理部は、前記測定部によって測定された前記測定対象の抵抗値が、前記基準抵抗値に対する前記許容誤差の範囲内の抵抗値であるか否かを特定可能に報知する測定結果報知処理を実行する。
【発明の効果】
【００１５】
請求項１記載の抵抗測定装置では、処理部が、測定対象についての最大電圧値および最大抵抗値が指定されたときに、最大抵抗値が測定可能範囲に含まれる各抵抗測定レンジの中で最も低抵抗側の抵抗測定レンジを特定する第１処理と、特定した抵抗測定レンジの測定用電流を最大抵抗値の測定対象に供給したときに印加される電圧の電圧値を演算する第２処理とを実行し、演算した電圧値が最大電圧値以下のときには、第１処理において特定した抵抗測定レンジを指定し、演算した電圧値が最大電圧値を超えているときには、第１処理において特定した抵抗測定レンジよりも小さな電流値の測定用電流を供給するように規定されている高抵抗側の抵抗測定レンジを指定して測定対象の抵抗値を測定させる。
【００１６】
したがって、請求項１記載の抵抗測定装置によれば、測定処理に先立って最大電圧値および最大抵抗値を指定するだけで、最大電圧値を超えることのない電流値の測定用電流を供給する抵抗測定レンジが自動的に指定されて抵抗値が測定されるため、測定対象に印加される電圧の電圧値を算出する作業や、手動で抵抗測定レンジを切り替える作業が不要となるため、この種の装置を利用した抵抗値の測定に不慣れな利用者であっても、測定対象の破損を招くことなく、その抵抗値を確実かつ容易に測定することができる。
【００１７】
請求項２記載の抵抗測定装置によれば、処理部が、測定対象の基準抵抗値およびその許容誤差が指定されたときに、指定された基準抵抗値および許容誤差に基づいて最大抵抗値を演算する第３処理を第１処理に先立って実行することにより、測定対象に対して規定されている基準抵抗値およびその許容誤差を指定するだけで最大抵抗値が演算され、その演算結果に応じて最大電圧値を超える電圧が印加されることのない抵抗測定レンジが自動的に選択されるため、この種の装置を利用した抵抗値の測定に不慣れな利用者であっても、測定対象の破損を招くことなく、その抵抗値を確実かつ一層容易に測定することができる。
【００１８】
請求項３記載の抵抗測定装置によれば、処理部が、測定部によって測定された測定対象の抵抗値が、基準抵抗値に対する許容誤差の範囲内の抵抗値であるか否かを特定可能に報知する測定結果報知処理を実行することにより、基準抵抗値および許容誤差に基づいて特定される抵抗値範囲と、測定部による測定結果とを比較して測定対象が良品であるか否かを判別する作業が不要となるため、この種の装置を利用した測定作業（測定対象の良否を検査する作業）に不慣れな利用者であっても、測定対象が良品であるか否かを確実かつ容易に検査することができる。
【図面の簡単な説明】
【００１９】
【図１】抵抗測定装置１の構成を示す構成図である。
【図２】各抵抗測定レンジ毎に規定された測定用電流の電流値について説明するための説明図である。
【発明を実施するための形態】
【００２０】
以下、本発明に係る抵抗測定装置の実施の形態について、添付図面を参照して説明する。
【００２１】
図１に示す抵抗測定装置１は、「抵抗測定装置」の一例であって、測定部２、操作部３、表示部４、記憶部５および処理部６を備え、測定対象Ｘについての抵抗値の測定が可能に構成されている。
【００２２】
測定部２は、処理部６の制御に従い、図示しない一対のテストリードを介して図示しない定電流源から測定対象Ｘに測定用電流を供給した状態において測定対象Ｘにおける測定対象端点間の電圧値を測定する。また、測定部２は、測定した電圧値、および供給した測定用電流の電流値に基づいて測定対象Ｘの抵抗値を演算し、その演算結果を測定値データＤとして処理部６に出力する。また、測定部２は、図２に示すように、一例として、１００ｍΩレンジ、１０００ｍΩレンジ、１０Ωレンジ、１００Ωレンジ、１０００Ωレンジ、１０ｋΩレンジ、１００ｋΩレンジ、１０００ｋΩレンジ、１０ＭΩレンジ、および１００ＭΩレンジの１０種類の抵抗測定レンジを備えている。
【００２３】
この場合、本例の抵抗測定装置１における測定部２では、一例として、１００ｍΩレンジおよび１０００ｍΩレンジの測定用電流が１００ｍＡに規定され、１０Ωレンジおよび１００Ωレンジの測定用電流が１０ｍＡに規定され、１０００Ωレンジおよび１０ｋΩレンジの測定用電流が１ｍＡに規定され、１００ｋΩレンジの測定用電流が１００μＡに規定され、１０００ｋΩレンジの測定用電流が１０μＡに規定され、１０ＭΩレンジの測定用電流が１μＡに規定され、かつ１００ＭΩレンジの測定用電流が１００ｎＡに規定されている。
【００２４】
操作部３は、測定条件の入力操作を行うための操作スイッチや、測定開始／停止を指示したり測定レンジを手動で切り替えたりするための操作スイッチなどを備え、スイッチ操作に応じた操作信号を処理部６に出力する。表示部４は、処理部６の制御に従い、後述する測定条件の設定画面や、測定結果の表示画面などの各種の表示画面を表示する。記憶部５は、処理部６の動作プログラムや測定値データＤなどを記憶する。
【００２５】
処理部６は、抵抗測定装置１を総括的に制御する。具体的には、処理部６は、後述するように、指定された条件に基づいて測定部２を制御することにより、上記の各抵抗測定レンジのうちのいずれかを指定して測定対象Ｘの抵抗値を測定させる。また、処理部６は、測定部２から出力される測定値データＤを記憶部５に記憶させると共に、測定値データＤに基づいて特定される抵抗値（測定部２による測定結果）を表示部４に表示させる。
【００２６】
さらに、本例の抵抗測定装置１では、各種の「測定対象」の抵抗値を測定する処理だけでなく、「測定対象（検査対象）」の抵抗体等が良品であるか否かを検査することができるように構成されている。具体的には、処理部６は、測定値データＤに基づいて特定される抵抗値が、予め指定された「基準抵抗値」に対する「許容誤差」の範囲内であるか否かを判別し、その判別結果を報知する「測定結果報知処理」を実行する。
【００２７】
この抵抗測定装置１を用いて「測定対象（検査対象）」の一例であるチップ抵抗の抵抗値を測定し、その良否を検査する際には、まず、操作部３を操作して測定条件（検査条件）の設定画面を表示部４に表示させる。この場合、本例の抵抗測定装置１では、この設定画面において「ボルトリミット機能」を有効にすることにより、抵抗値の測定に際して測定対象Ｘに印加される電圧の上限値（最大電圧値）を制限することが可能となっている。また、「ボルトリミット機能」を有効にしたときには、一例として、印加される電圧値を、５Ｖ、１２Ｖおよび３０Ｖのうちのいずれの電圧値に制限するかを選択することができる状態となる。
【００２８】
この際に、測定対象Ｘの定格電圧が５Ｖに規定されているときには、操作部３を操作して「ボルトリミット機能」を有効にすると共に、「最大電圧値」の候補から「５Ｖ」を選択する（「［測定対象に対する印加が許容されている最大電圧値］が指定されたとき」の一例）。
【００２９】
次いで、操作部３を操作して、測定対象Ｘの「基準抵抗値」およびその「許容誤差」を入力操作する。この際には、一例として、「４ｋΩ」との「基準抵抗値」、および「±４％」との「許容誤差」を入力する（「［測定対象について測定され得る最大抵抗値］が指定されたとき」の一例である「［測定対象の基準抵抗値および測定対象の抵抗値の許容誤差］が指定されたとき」の一例）。これに応じて、処理部６は、指定された「基準抵抗値」および「許容誤差」に基づき、測定対象Ｘの「最大抵抗値」を演算する（「第３処理」の一例）。この際には、「４ｋΩ＋４ｋΩ×４％＝４．１６ｋΩ」との値が「最大抵抗値」として演算される。
【００３０】
続いて、処理部６は、演算した「最大抵抗値（本例では、４．１６ｋΩ）」が測定可能範囲に含まれる各抵抗測定レンジの中で最も低抵抗側の抵抗測定レンジを特定する（「第１処理」の一例）。この際に、「４．１６ｋΩ」との抵抗値を測定可能な抵抗測定レンジは、１０ｋΩレンジ、１００ｋΩレンジ、１０００ｋΩレンジ、１０ＭΩレンジ、および１００ＭΩレンジの５種類であるため、これらのなかで、１０ｋΩレンジが最も低抵抗側の抵抗測定レンジとして特定される。
【００３１】
次いで、処理部６は、特定した抵抗測定レンジに規定されている測定用電流を「最大抵抗値」の測定対象Ｘに供給したときに測定対象Ｘに印加される電圧の電圧値を演算する（「第２処理」の一例）。この際には、１０ｋΩレンジの測定用電流の電流値が「１ｍＡ」で、測定対象Ｘの最大抵抗値が「４．１６ｋΩ」のため、「４．１６Ｖ」との電圧値が演算される。
【００３２】
続いて、処理部６は、演算した電圧値が測定対象Ｘに対して規定されている「最大電圧値」以下であるか、「最大電圧値」を超えているかを判別する。この際には、測定対象Ｘに対して規定されている定格電圧（最大電圧値）が「５Ｖ」で、「最大抵抗値」の「４．１６ｋΩ」の測定対象Ｘに対して「１ｍＡ」の測定用電流を供給することで印加される電圧の電圧値が「４．１６Ｖ」のため、処理部６は、演算した電圧値が「最大電圧値」以下であると判別する（「第２処理において演算した電圧値が最大電圧値以下のとき」の一例）。
【００３３】
この際に、処理部６は、測定部２を制御することにより、測定対象Ｘの「最大抵抗値」が測定可能範囲に含まれる抵抗測定レンジの中で最も低抵抗側の抵抗測定レンジであると特定した１０ｋΩレンジを指定して抵抗値を測定させる。これに応じて、測定部２は、測定対象Ｘにおける両電極の間に「１ｍＡ」の測定用電流を供給しつつ、両電極の間の電圧値を測定する。この結果、測定対象Ｘの抵抗値が「基準抵抗値」に対する「許容誤差」の範囲内の最大値（本例では、「４．１６ｋΩ」）であったとしても、その測定対象Ｘに印加される電圧は、最大で４．１６Ｖとなり、定格電圧を超えることなく、電圧値が測定される。また、測定部２は、測定した電圧値、および供給した測定用電流の電流値に基づいて測定対象Ｘの抵抗値を演算し、その演算結果を測定値データＤとして処理部６に出力する。
【００３４】
これに応じて、処理部６は、出力された測定値データＤを記憶部５に記憶させると共に、測定値データＤに基づいて特定される抵抗値を表示部４に表示させる（図示せず）。また、処理部６は、測定値データＤに基づいて特定される抵抗値が、「基準抵抗値」に対する「許容誤差」の範囲内の抵抗値であるか否かを判別する。
【００３５】
この際に、「４ｋΩ」との「基準抵抗値」に対して「±４％」との「許容誤差」が規定されている本例では、処理部６は、特定される抵抗値が「３．８４ｋΩ以上４．１６ｋΩ以下」の範囲内の抵抗値であるときに、測定値データＤに基づいて特定される抵抗値を示す文字列（一例として「４．０１ｋΩ」との文字列）と共に「Ｐａｓｓ」との文字列を表示部４に表示させ（「基準抵抗値に対する許容誤差の範囲内の抵抗値」であることを特定可能に報知する「測定結果報知処理」の一例）、その測定対象Ｘ（チップ抵抗）についての測定処理（検査処理）を終了する。
【００３６】
また、処理部６は、特定される抵抗値が「３．８４ｋΩ以上４．１６ｋΩ以下」の範囲内の抵抗値ではないときに、測定値データＤに基づいて特定される抵抗値を示す文字列（一例として「３．７５ｋΩ」との文字列）と共に「Ｆａｉｌ」との文字列を表示部４に表示させ（「基準抵抗値に対する許容誤差の範囲内の抵抗値」ではないことを特定可能に報知する「測定結果報知処理」の一例）、その測定対象Ｘ（チップ抵抗）についての測定処理（検査処理）を終了する。
【００３７】
一方、例えば、４ｋΩ±４％のチップ抵抗に代えて、８ｋΩ±４％のチップ抵抗を「測定対象（検査対象）」とする測定処理（検査処理）を実行する際には、操作部３を操作して、「８ｋΩ」との「基準抵抗値」、および「±４％」との「許容誤差」を入力する（「［測定対象について測定され得る最大抵抗値］が指定されたとき」の他の一例である「［測定対象の基準抵抗値および測定対象の抵抗値の許容誤差］が指定されたとき」の他の一例）。これに応じて、処理部６は、指定された「基準抵抗値」および「許容誤差」に基づき、測定対象Ｘの「最大抵抗値」を演算する（「第３処理」の他の一例）。この際には、「８ｋΩ＋８ｋΩ×４％＝８．３２ｋΩ」との値が「最大抵抗値」として演算される。
【００３８】
続いて、処理部６は、演算した「最大抵抗値（本例では、８．３２ｋΩ）」が測定可能範囲に含まれる各抵抗測定レンジの中で最も低抵抗側の抵抗測定レンジを特定する（「第１処理」の他の一例）。この際に、「８．３２ｋΩ」との抵抗値を測定可能な抵抗測定レンジは、１０ｋΩレンジ、１００ｋΩレンジ、１０００ｋΩレンジ、１０ＭΩレンジ、および１００ＭΩレンジの５種類であるため、これらのなかで、１０ｋΩレンジが最も低抵抗側の抵抗測定レンジとして特定される。
【００３９】
次いで、処理部６は、特定した抵抗測定レンジに規定されている測定用電流を「最大抵抗値」の測定対象Ｘに供給したときに測定対象Ｘに印加される電圧の電圧値を演算する（「第２処理」の他の一例）。この際には、１０ｋΩレンジの測定用電流の電流値が「１ｍＡ」で、測定対象Ｘの最大抵抗値が「８．３２ｋΩ」のため、「８．３２Ｖ」との電圧値が演算される。
【００４０】
続いて、処理部６は、演算した電圧値が測定対象Ｘに対して規定されている「最大電圧値」以下であるか、「最大電圧値」を超えているかを判別する。この際には、測定対象Ｘに対して規定されている定格電圧（最大電圧値）が「５Ｖ」で、「最大抵抗値」の「８．３２ｋΩ」の測定対象Ｘに対して「１ｍＡ」の測定用電流を供給することで印加される電圧の電圧値が「８．３２Ｖ」のため、処理部６は、演算した電圧値が「最大電圧値」を超えていると判別する（「第２処理において演算した電圧値が最大電圧値を超えているとき」の一例）。
【００４１】
この際に、処理部６は、測定対象Ｘの「最大抵抗値」が測定可能範囲に含まれる抵抗測定レンジの中で最も低抵抗側の抵抗測定レンジであると特定した１０ｋΩレンジよりも１つ高抵抗側の１００ｋΩレンジに規定されている測定用電流の電流値を特定する。また、処理部６は、特定した電流値の測定用電流を「最大抵抗値」の測定対象Ｘに供給したときに測定対象Ｘに印加される電圧の電圧値を演算する。この際には、１００ｋΩレンジの測定用電流の電流値が「１００μＡ」で、測定対象Ｘの最大抵抗値が「８．３２ｋΩ」のため、「０．８３２Ｖ」との電圧値が演算される。
【００４２】
この場合、本例では、演算される電圧値が「最大電圧値（本例では、５Ｖ）」を下回るため、処理部６は、測定部２を制御することにより、測定対象Ｘの「最大抵抗値」が測定可能範囲に含まれる抵抗測定レンジの中で最も低抵抗側の抵抗測定レンジであると特定した１０ｋΩレンジよりも１つ高抵抗側の１００ｋΩレンジ（１０ｋΩレンジの測定用電流よりも小さな電流値である１００μＡの測定用電流を供給するように規定されている抵抗測定レンジ：「高抵抗側の抵抗測定レンジ」の一例）を指定して抵抗値を測定させる。これに応じて、測定部２は、測定対象Ｘにおける両電極の間に「１００μＡ」の測定用電流を供給しつつ、両電極の間の電圧値を測定する。
【００４３】
この際に、最初に特定された１０ｋΩレンジが指定されて抵抗値が測定されたときには、測定対象Ｘに対して１ｍＡの測定用電流が供給される。したがって、測定対象Ｘの抵抗値が「基準抵抗値」に対する「許容誤差」の範囲内の最小値（本例では、「７．６８ｋΩ」）であったとしても、その測定対象Ｘに対して定格電圧の「５Ｖ」を超える「７．６８Ｖ」が印加されることとなる。
【００４４】
これに対して、本例の抵抗測定装置１では、最初に特定された１０ｋΩレンジよりも高抵抗側の１００ｋΩレンジが指定されて測定対象Ｘに対して１００μＡの測定用電流が供給された状態で抵抗値が測定されるため、測定対象Ｘの抵抗値が「基準抵抗値」に対する「許容誤差」の範囲内の最大値（本例では、「８．３２ｋΩ」）であったとしても、その測定対象Ｘに対しては、定格電圧の「５Ｖ」を下回る「０．８３２Ｖ」が印加されることとなる。したがって、本例の抵抗測定装置１では、定格電圧を超えることなく、測定対象Ｘの電圧値が測定される。また、測定部２は、測定した電圧値、および供給した測定用電流の電流値に基づいて測定対象Ｘの抵抗値を演算し、その演算結果を測定値データＤとして処理部６に出力する。
【００４５】
なお、上記の例とは相違するが、測定対象Ｘの「最大抵抗値」が測定可能範囲に含まれる抵抗測定レンジの中で最も低抵抗側の抵抗測定レンジ（上記の例では、１０ｋΩレンジ）よりも１つ高抵抗側の抵抗測定レンジ（上記の例では、１００ｋΩレンジ）に規定されている測定用連流では、「最大抵抗値」の測定対象Ｘに対して「最大電圧値」を超える電圧が印加されると演算したときに、処理部６は、その抵抗測定レンジよりもさらに１つ高抵抗側の抵抗測定レンジを特定し、特定した抵抗測定レンジに規定されている測定用電流を「最大抵抗値」の測定対象Ｘに対して供給したときに「最大電圧値」を超える電圧が印加されるか否かを確認する処理を、「最大電圧値」を超える電圧が印加されることのない測定用電流値が規定された抵抗測定レンジが特定されるまで繰り返し実行する。
【００４６】
一方、１００ｋΩレンジでの抵抗値の測定が行われた本例では、処理部６は、測定部２から出力された測定値データＤを記憶部５に記憶させると共に、測定値データＤに基づいて特定される抵抗値を表示部４に表示させる（図示せず）。また、処理部６は、測定値データＤに基づいて特定される抵抗値が、「基準抵抗値」に対する「許容誤差」の範囲内の抵抗値であるか否かを判別する。
【００４７】
この際に、「８ｋΩ」との「基準抵抗値」に対して「±４％」との「許容誤差」が規定されている本例では、処理部６は、特定される抵抗値が「７．６８ｋΩ以上８．３２ｋΩ以下」の範囲内の抵抗値であるときに、測定値データＤに基づいて特定される抵抗値を示す文字列（一例として「７．９８ｋΩ」との文字列）と共に「Ｐａｓｓ」との文字列を表示部４に表示させ（「基準抵抗値に対する許容誤差の範囲内の抵抗値」であることを特定可能に報知する「測定結果報知処理」の他の一例）、その測定対象Ｘ（チップ抵抗）についての測定処理（検査処理）を終了する。
【００４８】
また、処理部６は、特定される抵抗値が「７．６８ｋΩ以上８．３２ｋΩ以下」の範囲内の抵抗値ではないときに、測定値データＤに基づいて特定される抵抗値を示す文字列（一例として「８．４１ｋΩ」との文字列）と共に「Ｆａｉｌ」との文字列を表示部４に表示させ（「基準抵抗値に対する許容誤差の範囲内の抵抗値」ではないことを特定可能に報知する「測定結果報知処理」の一例）、その測定対象Ｘ（チップ抵抗）についての測定処理（検査処理）を終了する。  
【００４９】
このように、この抵抗測定装置１では、処理部６が、測定対象Ｘについての「最大電圧値」および「最大抵抗値」が指定されたときに、「最大抵抗値」が測定可能範囲に含まれる各抵抗測定レンジの中で最も低抵抗側の抵抗測定レンジを特定する「第１処理」と、特定した抵抗測定レンジの測定用電流を「最大抵抗値」の測定対象Ｘに供給したときに印加される電圧の電圧値を演算する「第２処理」とを実行し、演算した電圧値が「最大電圧値」以下のときには、「第１処理」において特定した抵抗測定レンジを指定し、演算した電圧値が「最大電圧値」を超えているときには、「第１処理」において特定した抵抗測定レンジよりも小さな電流値の測定用電流を供給するように規定されている高抵抗側の抵抗測定レンジを指定して測定対象Ｘの抵抗値を測定させる。
【００５０】
したがって、この抵抗測定装置１によれば、測定処理に先立って「最大電圧値」および「最大抵抗値」を指定するだけで、「最大電圧値」を超えることのない電流値の測定用電流を供給する抵抗測定レンジが自動的に指定されて抵抗値が測定されるため、測定対象Ｘに印加される電圧の電圧値を算出する作業や、手動で抵抗測定レンジを切り替える作業が不要となるため、この種の装置を利用した抵抗値の測定に不慣れな利用者であっても、測定対象Ｘの破損を招くことなく、その抵抗値を確実かつ容易に測定することができる。
【００５１】
また、この抵抗測定装置１によれば、処理部６が、測定対象Ｘの「基準抵抗値」およびその「許容誤差」が指定されたときに、指定された「基準抵抗値」および「許容誤差」に基づいて「最大抵抗値」を演算する「第３処理」を「第１処理」に先立って実行することにより、測定対象Ｘに対して規定されている「基準抵抗値」およびその「許容誤差」を指定するだけで「最大抵抗値」が演算され、その演算結果に応じて「最大電圧値」を超える電圧が印加されることのない抵抗測定レンジが自動的に選択されるため、この種の装置を利用した抵抗値の測定に不慣れな利用者であっても、測定対象Ｘの破損を招くことなく、その抵抗値を確実かつ一層容易に測定することができる。
【００５２】
さらに、この抵抗測定装置１によれば、処理部６が、測定部２によって測定された測定対象Ｘの抵抗値が、「基準抵抗値」に対する「許容誤差」の範囲内の抵抗値であるか否かを特定可能に報知する「測定結果報知処理」を実行することにより、「基準抵抗値」および「許容誤差」に基づいて特定される抵抗値範囲と、測定部２による測定結果とを比較して測定対象Ｘが良品であるか否かを判別する作業が不要となるため、この種の装置を利用した測定作業（測定対象Ｘの良否を検査する作業）に不慣れな利用者であっても、測定対象Ｘが良品であるか否かを確実かつ容易に検査することができる。
【００５３】
なお、「抵抗測定装置」の構成は、上記の抵抗測定装置１の構成に限定されない。例えば、「ボルトリミット機能」を有効にすると共に、測定対象Ｘに対して印加される電圧を、５Ｖ、１２Ｖおよび３０Ｖのうちのいずれかに制限することで「最大電圧値」を指定する構成を例に挙げて説明したが、例えば、測定対象Ｘの定格電圧の電圧値が１種類だけのときには、「ボルトリミット機能」を有効にする操作を行うだけで、測定対象Ｘに対して印加される電圧値の上限値（最大電圧値）を予め規定された１種類の電圧値に制限する（「測定対象に対する印加が許容されている最大電圧値が指定されたとき」の他の一例）構成を採用することもできる。
【００５４】
また、予め複数規定されている「最大電圧値」の中から任意の電圧値を選択することで「最大電圧値」を指定する構成に代えて、任意の電圧値を「最大電圧値」として設定する構成（例えば、操作スイッチの操作によって電圧値を入力する構成：「測定対象に対する印加が許容されている最大電圧値が指定されたとき」のさらに他の一例）を採用することもできる。さらに、指定された「基準抵抗値」および「許容誤差」に基づいて「最大抵抗値」を演算する「第３の処理」を実行する構成を例に挙げて説明したが、このような構成に代えて、「最大抵抗値」を直接指定する（入力操作する）構成を作用することもできる。
【００５５】
また、測定部２による測定結果と、予め指定された「基準抵抗値」および「許容誤差」とに基づいて測定対象Ｘが良品であるか否か（測定された抵抗値が「基準抵抗値」に対する「許容誤差」の範囲内であるか否か）を検査して報知する構成を例に挙げて説明したが、測定対象Ｘについての測定処理を実行するだけで、この検査を行わない構成を採用することもできる。
【符号の説明】
【００５６】
１  抵抗測定装置
２  測定部
３  操作部
４  表示部
５  記憶部
６  処理部
Ｄ  測定値データ
Ｘ  測定対象
【図１】
0006495110.tif 000002
【図２】
0006495110.tif 000003